(57)【要約】【課題】格子付きドレンにも装着できて、長期間の使用にも耐え得るようにする。【解決手段】ドレンＡの上端開口部５３を覆うように膨出して形成される網体１と、網体１の下端開口部の周縁に固着され、ドレンＡの上端開口部５３に設けられるフランジ６１に当接するリング５と、網体１の内側に配設される支持脚１０，１０とを備えた排水ドレン用防塵網において、前記網体１を、円錐台状に形成し、前記支持脚１０，１０を、網体１の内側上部に固着される固定部１０ａと、網体１の内側側部と離間するように固定部１０ａの端部から折り曲げられて、リング５の周方向数箇所に延出される延出部１０ｂと、ドレンＡの内面に圧接するように、延出部１０ｂの端部から折り曲げられて形成された曲成部１０ｃとで構成する。【選択図】図１０
2010053586.tif 000002
【特許請求の範囲】
【請求項１】
ドレン（Ａ）の上端開口部（５３）を覆うように膨出して形成される網体（１）と、該網体（１）の下端開口部の周縁に固着され、ドレン（Ａ）の上端開口部（５３）に設けられるフランジ（６１）に当接するリング（５）と、該網体（１）の内側に配設される支持脚（１０，１０）とを備えた排水ドレン用防塵網において、前記網体（１）は、円錐台状に形成され、前記支持脚（１０，１０）は、網体（１）の内側上部に固着される固定部（１０ａ）と、網体（１）の内側側部と離間するように該固定部（１０ａ）の端部から折り曲げられて、リング（５）の周方向数箇所に延出される延出部（１０ｂ）と、ドレン（Ａ）の内面に圧接するように、該延出部（１０ｂ）の端部から折り曲げられて形成された曲成部（１０ｃ）とで構成されることを特徴とする排水ドレン用防塵網。
【請求項２】
前記支持脚（１０，１０）の延出部（１０ｂ）は、固定部（１０ａ）の端部から折り曲げられる折曲部に、径外方向に湾曲する湾曲部（１０ｅ）が形成されることを特徴とする請求項１に記載の排水ドレン用防塵網。
【発明の詳細な説明】
【技術分野】
【０００１】
本発明は、建物の雨樋に取り付けられたドレンの内部に異物が混入するのを防止するための排水ドレン用防塵網に関する。
【背景技術】
【０００２】
従来のこの種の排水ドレン用防塵網は、例えばドレンの上端開口部を覆うようにドーム状に膨出して形成された網体と、該網体の下端開口部の周縁に固着され、ドレンの上端開口部に形成されるフランジに当接するリングと、その中央部が網体の内側において径方向に沿って固着されると共に、その両端部がドレンの内面に圧接するように延出された支持脚とを備えたものが公知になっている（特許文献１）。この支持脚の両端部は、リングとドレンのフランジとの間に空隙が形成されるように、フランジに対して垂直に延出される垂直部と、該垂直部の端部から径内方向に向かって延出される水平部と、ドレンの内面に圧接するように、該水平部の端部からドレンの内面に向かうにしたがって径外方向に折り曲げられた頂部を有する曲成部とで構成されている。
【０００３】
そして、支持脚の垂直部によって、排水ドレン用防塵網のリングとドレンのフランジとの間に空隙を形成し、該空隙によって、比較的大きなごみ類による網体の目詰まりを防止し、該ごみ類のドレン内部への流入を許容できるようにしている。
【０００４】
また、ドレンの上端開口部を覆うように膨出して形成された網体と、該網体の下端開口部の周縁に固着され、ドレンの上端開口部に形成されるフランジに当接するリングと、一端部がリングの上面に径方向に沿うように固着されると共に、他端部がリングの内側から下向きに延出される支持脚とを備えたものが公知になっている（特許文献２）。この支持脚は、リングの上面に固着された一端部から径内方向に向かって延出された水平部と、ドレンの内面に圧接するように、該水平部の端部からドレンの内面に向かうにしたがって径外方向に折り曲げられて形成された頂部を有する曲成部とで構成されている。
【０００５】
そして、支持脚は、格子付きドレンの格子の間に挿通できて、排水ドレン用防塵網が、格子付きドレンにも装着できることが開示されている。
【特許文献１】登録実用新案第３０２０１０９号公報
【特許文献２】実開平６−３７４２６号公報
【発明の開示】
【発明が解決しようとする課題】
【０００６】
しかしながら、上記前者の排水ドレン用防塵網は、支持脚の中央部がドーム状の網体の内側部に沿って固着されているため、中央部からドレンの内面側に向かって延出されている両端側に自由度がなく、格子付きドレンの格子の間に支持脚を挿通できない場合がある。即ち、装着できるドレンが限定されるという不都合が生じる。
【０００７】
一方、後者の排水ドレン用防塵網は、格子付きドレンには対応できる構成にはなっているが、排水ドレン用防塵網をドレンに装着した場合、支持脚の他端部の頂部がドレンの内面に常に圧接するので、リングの上面に固着されている一端部に大きな荷重が常に係るようになり、長期間の使用に対して危惧される。
【０００８】
そこで、本発明は、上記問題点を鑑み、格子付きドレンにも装着できて、長期間の使用にも耐え得る排水ドレン用防塵網を提供することを課題とする。
【課題を解決するための手段】
【０００９】
前記課題を解決するために、本発明に係る排水ドレン用防塵網は、ドレンＡの上端開口部５３を覆うように膨出して形成される網体１と、該網体１の下端開口部の周縁に固着され、ドレンＡの上端開口部５３に設けられるフランジ６１に当接するリング５と、該網体１の内側に配設される支持脚１０，１０とを備えた排水ドレン用防塵網において、前記網体１を、円錐台状に形成し、前記支持脚１０，１０を、網体１の内側上部に固着される固定部１０ａと、網体１の内側側部と離間するように該固定部１０ａの端部から折り曲げられて、リング５の周方向数箇所に延出される延出部１０ｂと、ドレンＡの内面に圧接するように、該延出部１０ｂの端部から折り曲げられて形成された曲成部１０ｃとで構成することを特徴とする。
【００１０】
この場合、支持脚１０，１０の固定部１０ａが網体１の内側上部に固着されるので、強度が大きくなる。ここでいう、網体１の内側上部とは、網体１の上部の円形部分の内側、内側側部の上部、該円形部分の内側から内側側部にかけての範囲のいずれも含むものとする。また、網体１の内側上部に位置した支持脚１０，１０の固定部１０ａから折り曲げられる延出部１０ｂは、網体１の内側側部から離間した状態でリング５の周方向数箇所に延出されるので、網体１の高さに比例して、支持脚１０，１０の延出部１０ｂ及び曲成部１０ｃの自由度が大きくなり、例えば、異なるタイプの格子付きドレンの格子体の間に支持脚１０，１０を容易に挿通できるようになる。
【００１１】
また本発明によれば、前記支持脚１０，１０の延出部１０ｂにおいて、固定部１０ａの端部から折り曲げられる折曲部に、径外方向に湾曲する湾曲部１０ｅを形成するような構成を採用することもできる。
【００１２】
この場合、支持脚１０，１０の延出部１０ｂにおいて、固定部１０ａの端部から折り曲げられる折曲部に、径外方向に湾曲する湾曲部１０ｅを形成するようにしたので、支持脚１０，１０の延出部１０ｂの強度及び曲成部１０ｃの圧接力が大きくなり、ドレンＡに対して長期間の安定した装着状態が維持できるようになる。
【発明の効果】
【００１３】
以上のように、本発明の排水ドレン用防塵網は、支持脚の固定部が、円錐台状の網体の内側上部に固着されるので、固定部における強度が大きくなり、支持脚の曲成部がドレンの内面に圧接しても、長期間の使用にも充分に耐え得ることができる。また、支持脚の延出部が網体の内側側部から離間した状態で延出されるため、支持脚の延出部及び曲成部の自由度が大きくなり、異なるタイプの格子付きドレンの格子の間に支持脚を容易に挿通できる、即ち装着可能なドレンが限定されることが少なくなる。
【発明を実施するための最良の形態】
【００１４】
以下、本発明の一実施形態に係る排水ドレン用防塵網について、添付図面を参照しつつ説明する。
【００１５】
まず、本実施形態に係る排水ドレン用防塵網について説明する前に、該排水ドレン用防塵網が装着可能な既製の格子付きドレンの構造について図６〜図９を参照して説明する。なお、本実施形態においては、格子が取り付けられていないドレンについては説明していないが、本願発明の排水ドレン用防塵網は、格子体が取り付けられていないドレンにも装着可能であることは言うまでもない。
【００１６】
比較的よく使用される格子付きドレンとしては、例えば図６（ａ）、（ｂ）に示すように、その下端開口部に直管又は曲管が接続される管体用接続部５１、該管体用接続部５１の上端部に連設され、内周面に雌ねじ（図示せず）が形成される格子体用接続部５２、該格子体用接続部５２の上端開口部５３の周縁部に形成されるフランジ５４を備えたドレン本体５０と、格子体用接続部５２の雌ねじ５３ａに螺着される筒状の雄ねじ６０ａ、該雄ねじ６０ａの上端部の外周面に形成されたフランジ６１、該フランジ６１の内周縁部に立設された複数の支柱６２，…、該各支柱６２，…の上端部に同心状に固着され、ドレン本体５０の上端開口部５３よりも小径の排水孔６３ａが形成された漏斗状の防塵部材６３を備えた格子体６０とで構成されているものがある。この格子付きドレンＡは、図示していないが、ドレン本体５０のフランジ５４の外径が、１００ｍｍ、１１５ｍｍ、１３０ｍｍに設計された、大、中、小の３種類のものがある。
【００１７】
つぎに、上記格子付きドレンとは異なるタイプのものとしては、図７（ａ）、（ｂ）に示すように、各支柱６２'の上端部に、ドレン本体５０'の上端開口部５３'よりも小径の環状の防塵部材６３'が同心状に固着された格子付きドレンＢ、また、図８（ａ）、（ｂ）に示すように、フランジ６１０の内周縁部に等間隔に立設された４本の支柱６２０，…と、各支柱６２０，…の上端部に固着された、ドーム状に且つ碁盤目状に編成された格子部材７０とで構成された格子付きドレンＣ、また、図９（ａ）、（ｂ）に示すように、フランジ６１０'の内周縁部に立設された１２本の支柱６２０'，…、各支柱６２０'，…の上端部に固着された、碁盤目状に編成された格子部材７０'とで構成された格子付きドレンＤがある。そして、後述する本願発明の排水ドレン用防塵網イ〜ホは、上述したいずれの格子付きドレンＡ〜Ｄにも装着可能である。なお、図７〜図９に示す格子付きドレンにおいては、図６と同一もしくは相当する部材の説明は省略し、異なる点のみを説明している。
【００１８】
つぎに、上記各格子付きドレンＡ〜Ｄに装着可能な排水ドレン用防塵網イ〜ホ（リングの外径が８０、１１０、１３０、１５０、１７０ｍｍ）について、小さいサイズの物から順に説明する。まず、リングの外径が８０ｍｍに設計された排水ドレン用防塵網イは、図１（ａ）〜（ｄ）に示すように、ドレン本体の上端開口部（格子体の外側）を覆うように膨出して形成される網体１と、該網体１の下端開口部の周縁に固着され、ドレンのフランジ（格子体のフランジ）に当接するリング５と、該網体１の内側上部に直交するように配設される一対の支持脚１０，１０とを備えている。
【００１９】
前記網体１は、図１（ｃ）、（ｄ）に示すように、円錐台状に形成されており、内側上部の直径よりも内側側部の高さが大きく設定されている。具体的には、図１（ａ）に示すように、曲率の大きさに比例して高さが大きくなるように放物線状に折り曲げられた複数の線材１ａ，…が、前後及び左右から中央部に所定の間隔をおいて交差するように立設されている。そして、網体１の中央部に向かうにしたがって高さ及び曲率が大きい線材１ａが配設されており、網体１を平面視すると、図１（ｂ）に示すように、略碁盤目状に編成されている。
【００２０】
前記支持脚１０は、図１（ａ）〜（ｄ）に示すように、その中央部が網体１の内側上部に直径方向に沿って固着される固定部１０ａと、図１（ｃ）、（ｄ）に示すように、網体１の内側側部と離間するように、該固定部１０ａの両端部から下向き（略直角）に折り曲げられて、リング５の周方向数箇所に延出される延出部１０ｂと、格子付きドレンＡ〜Ｄの内面（格子体６０、６０'、６００、６００'の雄ねじ６０ａ、６０ａ'、６００ａ、６００ａ'の内面）に圧接するように、該延出部１０ｂの下端部から径外方向に折り曲げられて形成された頂部１０ｄを有する曲成部１０ｃとで構成されている。なお、図１（ｃ）に示す支持脚１０の固定部１０ａが、図１（ｄ）に示す支持脚１０の固定部１０ａよりも幅広（網体１の内側側部寄り）になっている。この理由としては、支持脚１０，１０を格子体６０に挿入した際に、支持脚１０，１０の曲成部１０ｃ，…が干渉しないように、つまり挿入に際して支障をきたさないようにするためである。
【００２１】
そして、リング５の外径が１１０ｍｍ、１５０ｍｍに設計された排水ドレン用防塵網ロ、ニ（図２（ａ）〜（ｄ）及び図４（ａ）〜（ｄ）参照）が、上記排水ドレン用防塵網イと略同じように構成されており、異なる点としては、８０ｍｍの排水ドレン用防塵網イは、網体１の内側上部の直径よりも内側側部の高さが大きく形成されていたが、１１０ｍｍ、１５０ｍｍの排水ドレン用防塵網ロ、ニは、網体１の内側上部の直径よりも内側側部の高さが大きく形成され、これに対応すべく、支持脚１０の固定部１０ａの長さが大きく、延出部１０ｂの長さが短くなっている。
【００２２】
つぎに、リング５の外径が１３０ｍｍに設計された排水ドレン用防塵網ハも、図１に示す排水ドレン用防塵網イと略同様に構成されているが、図３（ａ）〜（ｄ）に示すように、網体１の周縁部に位置する支持脚１０の固体部１０ａの端部に、径外方向に湾曲する湾曲部１０ｅが形成されている点で異なっている。
【００２３】
つぎに、リングの外径が１７０ｍｍに設計されている排水ドレン用防塵網ホは、図５（ａ）〜（ｄ）に示すように、網体１の内側上部の外径が、高さに対して約２倍になるように設計され、図５（ｃ）に示す支持脚１０の固定部１０ａが、網体１の径方向に沿うように、網体１の内側上部から内側側部の中途部にかけて固着され、図５（ｄ）に示す支持脚１０の固定部１０ａが網体１の内側上部に沿うように固着されている。そして、支持脚１０，１０の延出部１０ｂ，…が、網体１の内側側部の下部から離間するように径内方向に折り曲げられて、リング５の周方向数箇所に延出される点で、図１に示す排水ドレン用防塵網イの構成と異なっている。
【００２４】
つぎに、図２に示す排水ドレン用防塵網ロ（リングの外径が１１０ｍｍ）を、図６に示す格子付きドレンＡに装着する際の態様について説明する。まず、格子付きドレンＡにおいて、ドレン本体５０の格子体用接続部５２の雌ねじに、格子体６０の雄ねじ６０ａを螺着した状態にする。そして、排水ドレン用防塵網ロにおいて、支持脚１０，１０の下端部（曲成部１０ｃ，…の端部）が、格子体６０の各支柱６２，…の間に位置するように、格子体６０の真上に網体１を配する。
【００２５】
なお、本実施形態においては、便宜上、ドレン本体５０と格子体６０は分解された状態になっているが、通常、ドレン本体５０は、格子体６０が装着された状態で建物の雨樋に取り付けられている。
【００２６】
つぎに、支持脚１０，１０の下端部を格子体６０のフランジ６１の内周縁部に当接させた状態で、支持脚１０，１０の曲成部１０ｃ，…を格子体６０の雄ねじ６０ａの内部へ押し込むと、支持脚１０，１０は、曲成部１０ｃ，…の下端部から頂部１０ｄ，…にかけての傾斜部が、雄ねじ６０ａの内面に押圧されることによって窄められ、支持脚１０，１０が格子体６０に装着されている間この状態が維持される。この際、網体１の高さに相当する支持脚１０，１０の延出部１０ｂ，…が網体１の内側側部から離間しているので、支持脚１０，１０を比較的容易に窄めることできる。このため、少しの労力で支持脚１０，１０を格子体６０の内部に押し込むことができる。そして、支持脚１０，１０が圧縮される反力として、支持脚１０，１０の頂部１０ｄ，…が雄ねじ６０ａの内面に圧接される。
【００２７】
続いて、支持脚１０，１０をさらに雄ねじ６０ａの内部に押し込むと、支持脚１０，１０の頂部１０ｄ，…が雄ねじ６０ａの内面に圧接した状態で移動し、網体１のリング５が格子体６０のフランジ６１に当接することで、装着が完了する。この際、網体１の内側に格子体６０の各支柱６２，…及び防塵部材６３が位置する。即ち、格子体６０の外側を網体１が覆うことになる（図１０参照）。
【００２８】
つぎに、図３に示す排水ドレン用防塵網ハ（リングの外径が１３０ｍｍ）を、図６に示す格子付きドレンＡに装着する際の態様について説明する。なお、格子付きドレンＡの大きさは、排水ドレン用防塵網ハに対応するものとする。前記と同様に、支持脚１０，１０の下端部を格子体６０の各支柱６２，…の間に位置させて、支持脚１０，１０の曲成部１０ｃ，…を格子体６０の雄ねじ６０ａの内部に押し込み、該雄ねじ６０ａの内面に、支持脚１０，１０の曲成部１０ｃ，…の頂部１０ｄ，…を圧接させ、格子体６０のフランジ６１に網体１のリング５を当接させると共に、格子体６０の外側を網体１で覆うようにする（図１１参照）。この場合、支持脚１０，１０の延出部１０ｂ，…において、固定部１０ａ，１０ａの端部から折り曲げられる折曲部に、径外方向に湾曲する湾曲部１０ｅ，…が形成されているので、支持脚１０，１０の延出部１０ｂ，…の強度及び頂部の圧接力が大きくなるという効果がある。
【００２９】
なお、前記排水ドレン用防塵網イ〜ニの場合、支持脚１０，１０の固定部１０ａ，１０ａを、網体１の内側上部において、径方向に沿うように、且つ交差するように固着したが、網体１の上部の円形部分の内側、内側側部の上部、該円形部分の内側から内側側部にかけての範囲のいずれに固着されていてもよく、例えば、図１２に示すように、半径方向に沿うように、且つ放射状に固着するようにしてもよい。また、図１３に示すように、網体１の内側側部から内側上部にかけて湾曲させて固着するようにしてもよい。要は、支持脚１０，１０の所定長さが、網体１の内側上部に固着されることによって、支持脚１０，１０の強度を向上できればよい。
【００３０】
また、前記実施形態の場合、中央部に向かうにしたがって曲率及び高さが大きくなる線材１ａ，…を前後左右から等間隔に配置することにより網体１を構成するようにしたが、碁盤目状に編成された網体１を円錐台状に形成してもよい。また、線材１ａの材質としては、防錆処理が施された線材、或いは錆に強いステンレス製の線材を使用するのが好ましい。
【００３１】
また、前記実施形態の場合、支持脚１０，１０の延出部１０ｂ，…を、下向きに延出するようにしたが、支持脚１０，１０の頂部１０ｄ，…を径外方向に弾性付勢できるように、延出部１０ｂ，…を下側に向かうにしたがって次第に広がった末広がりの状態になるように延出するようにしてもよい。
【図面の簡単な説明】
【００３２】
【図１】（ａ）は、本発明の一実施形態に係る、リングの外径が８０ｍｍの排水ドレン用防塵網の斜視図、（ｂ）は平面図、（ｃ）及び（ｄ）は側断面図。
【図２】（ａ）は、リングの外径が１１０ｍｍの排水ドレン用防塵網の斜視図、（ｂ）は平面図、（ｃ）及び（ｄ）は側断面図。
【図３】（ａ）は、リングの外径が１３０ｍｍの排水ドレン用防塵網の斜視図、（ｂ）は平面図、（ｃ）及び（ｄ）は側断面図。
【図４】（ａ）は、リングの外径が１５０ｍｍの排水ドレン用防塵網の斜視図、（ｂ）は平面図、（ｃ）及び（ｄ）は側断面図。
【図５】（ａ）は、リングの外径が１７０ｍｍの排水ドレン用防塵網の斜視図、（ｂ）は平面図、（ｃ）及び（ｄ）は側断面図。
【図６】（ａ）は格子付きドレンの側面図、（ｂ）は平面図。
【図７】（ａ）は格子付きドレンの側面図、（ｂ）は平面図。
【図８】（ａ）は格子付きドレンの側面図、（ｂ）は平面図。
【図９】（ａ）は格子付きドレンの側面図、（ｂ）は平面図。
【図１０】排水ドレン用防塵網を格子付きドレンに装着した状態を示した側断面図。
【図１１】排水ドレン用防塵網を格子付きドレンに装着した状態を示した側断面図。
【図１２】支持脚の固定部を、網体の内側上部に半径方向に沿って固着した排水ドレン用防塵網を示した概略図。
【図１３】支持脚の固定部を、網体の内側側部から上部にかけて湾曲させて固着した排水ドレン用防塵網を示した概略図。
【符号の説明】
【００３３】
１…網体、１ａ…線材、５…リング、１０…支持脚、１０ａ…固定部、１０ｂ…延出部、１０ｃ…曲成部、１０ｄ…頂部、１０ｅ…湾曲部、５０，５０'，５００，５００'…ドレン本体、５１，５１'，５１０，５１０'…管体用接続部、５２，５２'，５２０，５２０'…格子体用接続部、５３，５３'，５３０，５３０'…上端開口部、５４，５４'，５４０，５４０'…フランジ、６０，６０'，６００，６００'…格子体、６１，６１'，６１０，６１０'…フランジ、６２，６２'，６２０，６２０'…支柱、６３…防塵部材、６３ａ…排水孔、７０，７０'…格子部材、イ〜ホ…排水ドレン用防塵網、Ａ〜Ｄ…格子付きドレン、
【図１】
2010053586.tif 000003
【図２】
2010053586.tif 000004
【図３】
2010053586.tif 000005
【図４】
2010053586.tif 000006
【図５】
2010053586.tif 000007
【図６】
2010053586.tif 000008
【図７】
2010053586.tif 000009
【図８】
2010053586.tif 000010
【図９】
2010053586.tif 000011
【図１０】
2010053586.tif 000012
【図１１】
2010053586.tif 000013
【図１２】
2010053586.tif 000014
【図１３】
2010053586.tif 000015